(57)【要約】  【課題】  金属ケース内に収容されるプリント基板と金属ケースの内壁面との間に介装される可撓性を有する絶縁フィルムにおいて、プリント基板に切欠き部を形成する必要がなく、かつ絶縁フィルム１枚当たりの材料使用量が比較的少なくて済むようにする。  【解決手段】  側板部１２，１２のそれぞれの折曲げ線Ｌ１の延長方向の両端に、折曲げ線Ｌ１と略直交する折返し線Ｌ２において側板部１２の内側に折返される折返し部１３を延設し、この折返し部１３に、プリント基板２の角部に係合し得る係合部１５を設ける。【選択図】        図３
2006005200.tif 000002
【特許請求の範囲】
【請求項１】
金属ケース内に収容されるプリント基板と前記金属ケースの内壁面との間に介装される可撓性を有する絶縁フィルムであって、前記プリント基板の底面に対向する底板部と、該底板部の両側においてそれぞれ折曲げ線を挟んで前記底板部に連続し、該折曲げ線における略直角の折曲げによって前記プリント基板の両側面に沿って立ち上がる一対の側板部とを備えた絶縁フィルムにおいて、
前記側板部のそれぞれの前記折曲げ線方向の両端に、該折曲げ線と略直交する折返し線において前記側板部の内側に折り返される折返し部が延設され、該折返し部に、前記プリント基板の角部に係合し得る係合部が設けられていることを特徴とするプリント基板用絶縁フィルム。
【請求項２】
前記折返し部に、該折返し部の前記折曲げ線の延長線上にある側縁から前記プリント基板の厚さに対応する深さに切り欠かれた凹部が形成され、該凹部が、該凹部に挿入される前記プリント基板の角部の上面および端面に係合し得る係合縁部を備えていることを特徴とする請求項１記載の絶縁フィルム。
【請求項３】
前記折返し部に、前記プリント基板の厚さに対応する幅をもって前記折曲げ線と略平行に延びる開口部が形成され、該開口部が、該開口部に挿入される前記プリント基板の角部の両面および端面に係合し得る係合縁部を備えていることを特徴とする請求項１記載の絶縁フィルム。
【請求項４】
前記折返し部の前記折曲げ線の延長方向の端縁に、前記側板部に形成したスリットに差し込まれる係合片が突設されていることを特徴とする請求項２または３記載の絶縁フィルム。
【請求項５】
前記折返し部の前記プリント基板に対する係合部から上方に離れた部位に、別のプリント基板の厚さに対応する幅をもって前記折曲げ線と略平行に延びる溝または開口部がさらに形成され、該溝または開口部が、該溝または開口部に挿入される前記別のプリント基板の角部の両面および端面に係合し得る係合縁部を備えていることを特徴とする請求項１から４のいずれか１項記載の絶縁フィルム。
【請求項６】
前記側板部の前記折曲げ線方向の中間部位に、前記プリント基板の上面の両側縁に係合する係合突起が形成されていることを特徴とする請求項１から５のいずれか１項記載の絶縁フィルム。
【請求項７】
前記側板部の前記折曲げ線方向の中間部位が切り開かれて、そこに前記折曲げ線に略垂直な折返し線において前記側板部の内側に折り返されるさらなる折返し部が形成され、該折返し部に、前記プリント基板の上面に係合し得る係合部が設けられていることを特徴とする請求項１から５のいずれか１項記載の絶縁フィルム。
【請求項８】
前記底板部の前記折曲げ線方向の両端に、前記プリント基板の前記端縁から延出する延長部が形成され、該延長部に、前記金属ケースに対する位置決め用の孔が形成されていることを特徴とする請求項１から７のいずれか１項記載の絶縁フィルム。
【請求項９】
前記側板部の上縁に、前記金属ケースの蓋の内頂面に当接して撓められる複数の舌片が突設されていることを特徴とする請求項１から８のいずれか１項記載の絶縁フィルム。
【請求項１０】
前記底板部の両延長部の側縁および前記側板部の上縁に、前記金属ケースの側板の内壁面に当接して撓められる舌片が側方へ向かって突設されていることを特徴とする請求項８記載の絶縁フィルム。
【発明の詳細な説明】
【技術分野】
【０００１】
本発明は、電子部品を実装したプリント基板を金属ケース内に収納する際に、プリント基板と金属ケースとの間の絶縁性を確保するとともに、プリント基板の金属ケースへの収納に先立って、プリント基板の仮固定が可能な絶縁フィルムに関するものである。
【背景技術】
【０００２】
金属ケース内に収容されるプリント基板と金属ケースの内壁面との間に介装される可撓性を有する絶縁フィルムは、例えば特許文献１によって公知である。この絶縁フィルムは、金属ケースに固定されるプリント基板の底面に対向する底板部と、この底板部の両側においてそれぞれ折曲げ線を挟んで底板部に連続し、上記折曲げ線における略直角の折曲げによってプリント基板の互いに平行な両側面に沿って立ち上がる一対の側板部と、上記折曲げ線と略平行な折返し線を挟んで各側板部の上縁から延出する複数の折返し部とを備え、この上記折返し線における側板部の内側への折返しによって、折返し部の先端がプリント基板の互いに平行な両側面にそれぞれ圧接された状態で、上記側板部がプリント基板の両側面と金属ケースの内壁面との間に位置し、かつ上記折返し部が、プリント基板の互いに平行な両側面に形成された切欠き部に係合して、プリント基板と上記絶縁フィルムとが固定されるように構成されている。
【０００３】
このような構成を有する絶縁フィルムは、型抜き加工によって形成することができ、かつこの絶縁フィルムを介してプリント基板を金属ケース内に収納すると、金属ケースの内底面および両内側面が絶縁フィルムの底板部および両側板部によって完全に覆われて金属ケースに対するプリント基板の絶縁性が確保されるとともに、プリント基板と絶縁フィルムとの相対位置関係を固定することができるという利点がある。
【特許文献１】特開２００２−１６４６７５号公報
【発明の開示】
【発明が解決しようとする課題】
【０００４】
しかしながら、上記特許文献１に記載された絶縁フィルムにおいては、プリント基板と絶縁フィルムとの相対位置を決定するために、絶縁フィルムの折返し部に係合する切欠き部をプリント基板の両側面に形成する必要がある。また、絶縁フィルムの側板部の上縁から上記折曲げ線に略平行な折返し線を挟んで延出する複数の折返し部は、側板部上に完全に折り返されるだけの延出方向の長さを必要とするために、絶縁フィルム本体からの突出部分が長くなり、フィルム製造時の型抜きに際して材料の無駄が多く、かつ絶縁フィルム１枚当たりの材料使用量も比較的多いという問題もあった。
【０００５】
上述の事情に鑑み、本発明は、プリント基板に切欠き部を形成する必要がなく、かつ絶縁フィルム１枚当たりの材料使用量が比較的少なくて済むこの種の絶縁フィルムを提供することを目的とするものである。
【課題を解決するための手段】
【０００６】
本発明は、金属ケース内に収容されるプリント基板と金属ケースの内壁面との間に介装される可撓性を有する絶縁フィルムであって、金属ケースに固定されるプリント基板の底面に対向する底板部と、この底板部の両側においてそれぞれ折曲げ線を挟んで上記底板部に連続し、これら折曲げ線における略直角の折曲げによってプリント基板の両側面に沿って立ち上がる一対の側板部とを備えた絶縁フィルムにおいて、上記側板部のそれぞれの折曲げ線方向の両端に、折曲げ線と略直交する折返し線において側板部の内側に折り返される折返し部が延設され、これら折返し部に、上記プリント基板の角部に係合し得る係合部が設けられていることを特徴とするものである。
【０００７】
本発明の一つの態様においては、上記折返し部に、この折返し部の折曲げ線の延長線上にある側縁からプリント基板の厚さに対応する深さに切り欠かれた凹部が形成され、この凹部が、この凹部に挿入されるプリント基板の角部の上面および端面に係合し得る係合縁部を備えている。
【０００８】
本発明の別の態様においては、上記折返し部に、上記凹部の代わりに、プリント基板の厚さに対応する幅をもって上記折曲げ線と略平行に延びる開口部が形成され、この開口部が、この開口部に挿入されるプリント基板の角部の両面および端面に係合し得る係合縁部を備えている。
【０００９】
さらに上記折返し部の折曲げ線方向の端縁に、上記側板部に形成したスリットに差し込まれる係合片が突設されていることが好ましい。
【００１０】
また、複数のプリント基板を固定するために、１枚目のプリント基板に対する上記折返し部の係合部から上方に離れた部位に、２枚目のプリント基板の厚さに対応する幅をもって延びる溝または開口部を形成し、この溝または開口部が、この溝または開口部に挿入される２枚目のプリント基板の角部の両面および端面に係合し得る係合縁部を備えているようにしてもよい。
【００１１】
さらに、長さの長いプリント基板が用いられる場合には、上記側板部の折曲げ線方向の中間部位に、プリント基板の上面の両側縁に係合する突起を突設してもよい。あるいは、側板部の折曲げ線方向の中間部位を切り開いて、そこに、折曲げ線に略垂直な折返し線において側板部の内側に折り返されるさらなる折返し部を形成し、この折返し部に、プリント基板の上面に係合し得る係合部を設けるようにしてもよい。
【００１２】
さらに、金属ケースの長さがプリント基板の長さよりも長い場合に、絶縁フィルムの底板部の上記折曲げ線方向の両端に、プリント基板の端縁から延出する延長部を形成し、この延長部に、金属ケースに対する位置決め用の孔を形成するようにしてもよい。その場合、上記底板部の延長部の側縁および上記側板部の上縁に、金属ケースの側板の内壁面に当接して撓められる舌片を側方へ向かって突設してもよい。
【００１３】
また、上記側板部の上縁に、上記金属ケースの蓋の内頂面に当接して撓められる複数の舌片を突設してもよい。
【発明の効果】
【００１４】
本発明によれば、可撓性を有する絶縁フィルムの両側板部に、折返し線において側板部の内側に折り返される折返し部が設けられているが、これら折返し部は、或る程度の厚さと可撓性を有する絶縁フィルムの性質から見て、その折返し線近傍における折返し角度は１８０度よりも浅くなる。このため、これら折返し部の折返し線近傍部分は側板部の内面に密着せず、側板部の内面から比較的離れた位置に保たれ、側板部と折返し部との間に空隙が生じる。したがって、これら折返し部の所定の部位に、プリント基板の四隅の角部を挿入することができる大きさおよび形状を有する凹部または開口部を設けることにより、凹部または開口部にプリント基板の角部を挿入して、凹部または開口部の縁部をプリント基板の角部の上面と端面に（凹部の場合）または上下面と端面に(開口部の場合)係合させることができる。そして、この係合部がプリント基板の四隅の角部に存在するから、これによりプリント基板を、金属ケースへの収納に先立って絶縁フィルム仮固定することができる。
【００１５】
すなわち、本発明によれば、金属ケースの内底面および両内側壁面が絶縁フィルムの底板部および両側板部によって完全に覆われて金属ケースに対するプリント基板の絶縁性が確保される効果に加えて、プリント基板にいかなる切欠きをも設けることなしに、プリント基板の金属ケースへの組込みに先立って絶縁フィルムとプリント基板とを仮固定することができるので、金属ケースに対するプリント基板の組込み作業を容易にすることができる効果がある。
【００１６】
また、絶縁フィルムに形成される上記折返し部は、両側板部の長手方向の端部に短く形成され、両側板部の上縁に突設されるものではないから、絶縁フィルム１枚当たりの材料使用量が比較的少なくて済むという効果もある。
【００１７】
なお、絶縁フィルムの折返し部に形成する係合部として、プリント基板の角部を挿入することができる大きさおよび形状を有する開口部を底板から離れた部位に設けた場合には、プリント基板を絶縁フィルムの底板部から浮かせることができるから、プリント基板の底面における部品半田付け面が絶縁フィルムの底板部に接触して底板部を傷つけるのを防止することができる。
【００１８】
また、上記折返し部の折曲げ線方向の端縁に、上記側板部に形成したスリットに差し込まれる係合片が突設した場合には、上記折返し部の戻りを防止して、折返し状態を維持することができる。
【００１９】
さらに、折返し部のプリント基板に対する上述した係合部から上方に離れた部位に、上述と同様の開口部または溝を形成することにより、複数のプリント基板を絶縁フィルムによって支持させることができる。
【００２０】
さらに、プリント基板の長さが長い場合に、上記側板部の中間部位に、プリント基板の上面の両側縁に係合する突起を突設することにより、プリント基板の浮上がりを防止することができる。あるいは、上記中間部位を切り開いて、そこに上記折曲げ線と略垂直な折返し線において側板部の内側に折り返されるさらなる折返し部を形成し、この折返し部に、プリント基板の上面に係合する係合部を設けることによってもプリント基板の浮上がりを防止することができる。
【００２１】
そして、金属ケースの長さがプリント基板の長さよりも長い場合には、絶縁フィルムの底板部の上記折曲げ線方向の両端に、プリント基板の端縁から延出する延長部を形成し、この延長部に、金属ケースに対する位置決め用の孔を設けて、この孔に金属ケースの底板部の状面に突設した突起を挿入することにより、金属ケースに対する絶縁フィルムの相対位置を規定することができる。
【発明を実施するための最良の形態】
【００２２】
以下、図面を参照して本発明の実施例について詳細に説明する。
【００２３】
図１は本発明による絶縁フィルムの基本的な構成を示す展開図である。この絶縁フィルム１は、絶縁性と可撓性とを有する例えば厚さ０．３５ｍｍのポリエステルフィルム等からなり、プリント基板２（図３）の平面形状に略一致する形状を有する長方形の底板部１１と、この底板部１１の長手方向に沿って延びる折曲げ線(谷折り線)Ｌ１，Ｌ１を挟んで底板部１１に連続する一対の側板部１２，１２と、各側板部１２の折曲げ線Ｌ１方向の両端において折曲げ線Ｌ１と略直交する折返し線(谷折り線)Ｌ２を挟んで側板部１２から延出する４個の略正方形の折返し部１３とによって構成されている。
【００２４】
各折返し部１３は、その折曲げ線Ｌ１の延長線上にある側縁１４から、側縁１４の両端部を残してプリント基板２の厚さに対応する深さに切り欠かれた長方形の凹部１５をプリント基板２に対する係合部として備えている。
【００２５】
なお、絶縁フィルム１は、厚さ０．３５ｍｍのもの以外に、０．１８８ｍｍ，０．２５ｍｍあるいは０．５ｍｍの厚さのものでもよい。
【００２６】
図２は、図１の絶縁フィルムの変形構成を示す展開図である。この絶縁フィルム１０は、プリント基板２よりも長い長さを有する金属ケース３(図５)内にプリント基板２を収容する場合に用いられるもので、図１の絶縁フィルム１と同様の構成を有することに加えて、底板部１１の折曲げ線Ｌ１，Ｌ１方向の両端に、金属ケース３の長さに対応した延長部１６，１６を備えており、各延長部１６には、プリント基板２の長手方向の移動を防止するために、金属ケース３に設けられた位置決め用突起３３が挿入される長孔１７が形成されている。なお、以下の説明においては、図２に示すような延長部１６，１６を備えた絶縁フィルム１０を用いた場合について説明する。
【００２７】
図３は、プリント基板２が図２の絶縁フィルム１０を介して金属ケース３内に収納されるのに先立って、絶縁フィルム１０にプリント基板２が仮固定される状態を示す斜視図である。
【００２８】
プリント基板２は、電子部品２５，２６の取付け面である上面２１と、長手方向に沿った互いに略平行な両側面２２，２２と、長手方向の両端面２３，２３と、電子部品２５，２６の半田付け面である底面２４とを有する。
【００２９】
絶縁フィルム１０は、先ずその底板部１１に対して側板部１２，１２を折曲げ線Ｌ１、Ｌ１において略９０度折り曲げ、さらに４個の折返し部１３を折返し線Ｌ２において略１８０度近く側板部１２，１２の内側に折り返すことにより図３に示す状態となる。
【００３０】
図４は、４個のうちの一つの折返し部１３を示す拡大斜視図である。この折返し部１３は、折返し線Ｌ２における折返しによって、折曲げ線Ｌ１の延長線上にある側縁１４が底板部１１の上面に接している。そして、折返し線Ｌ２と垂直縁部１５ａとの間に脚片１８が形成されるように折返し線Ｌ２から若干離れた位置で側縁１４からプリント基板２の厚さに対応した距離だけ略垂直に立ち上がる垂直縁部１５ａと、縁部１５ａの上端から折返し部１３の端縁１３ａの若干手前まで側縁１４と略平行に延びる水平縁部１５ｂと、端縁１３ａとの間に脚片１９が形成されるように水平縁部１５ｂの先端から側縁１４まで略垂直に立ち下がる垂直縁部１５ｃとによって、長方形の係合凹部１５が構成されている。
【００３１】
したがって、上記凹部１５と、絶縁フィルム１０の底板部１１の上面とによって、底板部１１上に載置されたプリント基板２の角部を挿入することが可能な開口部が形成されることになる。
【００３２】
そしてこの場合、図３に示す状態に折り曲げられ、折り返された絶縁フィルム１０に対し、その上方にプリント基板２を位置決めしたときに、上記凹部１５の折返し線Ｌ２側の垂直縁部１５ａがプリント基板２の長手方向の端面２３の位置と略一致する関係になるように、折返し線Ｌ２および凹部１５の垂直縁部１５ａの前後位置が設定されている。残りの３箇所の折返し部１３についても同様である。
【００３３】
なお、図には折返し部１３が上方から見て円弧状に湾曲した状態に描かれているが、上方から見てく字状に折れ曲がった形状を有していてもよい。
【００３４】
図５は、絶縁フィルム１０に仮固定されたプリント基板２が、このプリント基板２よりも長さの長い金属ケース３内に収納される状態を示す斜視図、図６は、絶縁フィルム１０の折返し部１３とプリント基板の角部との係合状態を示す拡大斜視図である。
【００３５】
一対の側板部１２，１２がそれぞれ折曲げ線Ｌ１，Ｌ１において折り曲げられ、かつ４個の折返し部１３が折返し線Ｌ２においてそれぞれ折り返されて図３に示す形態とされた絶縁フィルム１０に対し、プリント基板２が上方から挿入されると、プリント基板２の四隅の角部が絶縁フィルム１０の折返し部１３の表面にそれぞれ当接することにより折返し部１３が撓められ、プリント基板２の挿入が許容される。その状態でプリント基板２の底面２４が絶縁フィルム１０の底板部１１上に達すると、プリント基板２の角部が係合凹部１５に合致するので、図６に示すように、折返し部１３の折返し線Ｌ２側の脚片１８が、折返し部１３の復元力によりプリント基板２の角部の端面２３に沿って移動して、凹部１５の垂直縁部１５ａがプリント基板２の端面２３に係合し、かつ水平縁部１５ｂがプリント基板２の角部の上面に係合することにより、プリント基板２の角部が折返し部１３によって係止される。そして、折返し部１３の端縁１３ａ側の脚片１９が、プリント基板２の側面２２と絶縁フィルム１０の側板部１２との間に挟まれて、折返し部１３が固定される。なお、図６に示すように、折返し部１３の端縁１３ａ側の上部を仮想線Ｌ３に沿って予め切断しておくと、絶縁フィルム１０に対するプリント基板２の組付けが容易になる。
【００３６】
金属ケース３は，図５に示すように、底板部３１と両側板部３２，３２とによって凵状の断面形状を有し、絶縁フィルム１０に仮固定されたプリント基板２が金属ケース３内に収容されると、絶縁フィルム１０の底板部１１が金属ケース３の底板部３１上に載置され、絶縁フィルム１０の側板部１２，１２が金属ケース３の側板部３２，３２の内壁面に密着する。また、プリント基板２の両端面２３，２３から前後に突出する絶縁フィルム１０の底板部１１の両延長部１６，１６に形成されている長孔１７に、金属ケース３の底板部３１上に突設された位置決め用突起３３が係入して、金属ケース３内におけるプリント基板２の長手方向の移動を防止するように構成されている。
【００３７】
図７は、絶縁フィルム１０の折返し部１３に形成されるプリント基板２の角部に対する係合部の変形を図４に対応させて示す拡大斜視図である。この場合の係合部は、絶縁フィルム１０の底板部１１の上面から若干離れた位置において、プリント基板２の厚さに対応する上下方向の幅をもって折曲げ線Ｌ１と略平行に延びる長方形の開口部４０によって構成されている。この開口部４０は、対向する垂直縁部４０ａ，４０ｃと、対向する水平縁部４０ｂ，４０ｄとを備え、折返し線Ｌ２側の垂直縁部４０ａがプリント基板２の角部の端面２３に係合し、水平縁部４０ｂ，４０ｄがプリント基板２の角部の上面２１および底面２４にそれぞれ係合して、プリント基板２の角部を係止するように構成されている。この構成により、プリント基板２を底板部１１から浮かせることができ、プリント基板２の底面２４における部品半田付け面が絶縁フィルム１０の底板部１１に接触して底板部１１を傷つけるのを防止することができる。
【００３８】
次の図８は、絶縁フィルム１０の折返し部１３の端縁１３ａの上部に、側板部１２に対する係合片１３ｂが突設されている構成を示す、図４に対応する斜視図である。この係合片１３ｂを側板部１２に形成したスリット１２ａに差し込むことにより、折返し部１３の戻りを防止して折返し状態を維持することができる。
【００３９】
図９は、プリント基板２の長さが長い場合に、上記側板部１２，１２に、プリント基板２の上面２１の両側縁に係合する突起１２ｂ，１２ｂを突設することにより、絶縁フィルム１０の底板部１１からのプリント基板２の浮き上がりを防止することができる。
【００４０】
図１０は、２枚のプリント板を支持することができる折返し部１３の構成を示す、図４に対応する斜視図である。この場合、上記折返し部１３のプリント基板２に対する係合部１５から上方に離れた部位に、折曲げ線Ｌ１の延長方向の端縁か１３ａら折曲げ線Ｌ１と略平行に２枚目のプリント基板（図示せず）の厚さに対応する幅をもって切り込まれた長方形の溝４１を形成する。そして、この溝４１の奥の垂直縁部４１ａが、この溝４１に挿入された２枚目のプリント基板の角部の端面に係合し、かつ水平縁部４１ａ，４１ｄが２枚目のプリント基板の角部の上面および底面にそれぞれに係合することにより、プリント基板２の角部が係止されることになる。なお、この溝４１の代わりに、図７に示すような開口部を設けてもよい。
【００４１】
ところで、上記絶縁フィルム１０の側板部１２，１２の高さは、プリント基板２が絶縁フィルム１０を介して収容される金属ケース３の側板部３２，３２の高さに略一致させておけば、金属ケース３に被せられた蓋（図示せず）の内頂面に絶縁フィルム１０の側板部１２，１２の上縁が当接して、絶縁フィルム１０の上方への動きが規制されるが、絶縁フィルム１０の側板部１２，１２の高さよりも高い側板部３２，３２を備えた金属ケース３内にプリント基板２を収容する場合もある。その場合には、図１１に示すように、絶縁フィルム１０の側板部１２，１２の上縁に上方へ延びる複数の舌片４２を突設しておくのがよい。この場合には、上記舌片４２が金属ケース３の蓋の内頂面に当接してその高さに応じて撓められて、高さの差が吸収され、この状態で絶縁フィルム１０の高さ方向の動きを規制することができる。したがって、側板部３２，３２の高さの異なる種々の金属ケース３に対して単一の絶縁フィルム１０を共用することができる。
【００４２】
同様に、プリント基板２の幅よりも幅の広い底板部３１を備えた金属ケース３内にプリント基板２を収容する場合もあるときには、図１２に示すように、絶縁フィルム１０の延長部１６，１６の一方の側縁およびこの側縁と同一側の側板部１２の上縁に、側方へ突出する舌片４４，４５を一体に設けることにより、これら舌片４４，４５が金属ケース３の側板部３２の内壁面に当接して撓められて幅の差が吸収され、この状態で絶縁フィルム１０の幅方向の動きを規制することができる。したがって、底板部３１の幅の異なる種々の金属ケース３に対して単一の絶縁フィルム１０を共用することができる。
【００４３】
なお、図４に示す折返し部１３は、その係合凹部１５の両端に脚片１８，１９をそれぞれ備えており、端縁１３ａ側の脚片１９がプリント基板２の側面２２と絶縁フィルム１０の側板部１２との間に挟まれることによって折返し部１３が固定されるように構成されているが、場合によっては、図１３に示すように、端縁１３ａ側の脚片１９を省略することができる。すなわち、図１４に示すように、プリント基板２上に固定されている電子部品２６，２６が折返し部１３，１３にそれぞれ近接している場合には、これら電子部品２６，２６の側板部１２，１２側の壁面に折返し部１３，１３を当接させることによって、折返し部１３，１３を固定することができる。
【００４４】
また、プリント基板２の長さが長い場合に、プリント基板２の浮き上がりを防止するために、図９に示す構成では、絶縁フィルム１０の側板部１２，１２の折曲げ線Ｌ１方向の中間部位に、プリント基板２の上面２１の両側縁に係合する突起１２ｂ，１２ｂを突設しているが、上記突起１２ｂ，１２ｂの代わりに、両端の折返し部１３，１３以外に別の折返し部を設けてもよい。
【００４５】
すなわち、図１５および図１６に示すように、各側板部１２の折曲げ線Ｌ１方向の中間部位を、折曲げ線Ｌ１とこれに略垂直な直線に沿ってＬ字状に切り開き、側板部１２に空所５０が形成される態様で、折曲げ線Ｌ１に略垂直な折返し線Ｌ４において側板部１２の内側に折り返される折返し部５３を形成する。そしてこの折返し部５３に、底板部１１の上面に接する底縁５４に沿って、プリント基板２の上面２１に接する水平縁部５５ｂを備えた係合凹部５５が形成される。そして、この折返し部５３の場合は、図１３の場合とは反対に、折返し線Ｌ４に近接する脚片は不要となり、係合凹部５５の垂直縁部５５ｃ側の脚片５９のみでよい。
【００４６】
なお、このような折返し部５３に伴って側板部１２に空所５０が形成されるから、空所５０の存在がプリント基板２と金属ケースとの間の絶縁性に悪影響を与えない場合に、折返し部５３を設ければよい。
【００４７】
以上の説明で明らかなように、本実施の形態によれば、金属ケース３の内底面および両側の内壁面が絶縁フィルム１０の底板部１１および両側板部１２，１２によって完全に覆われて金属ケース３に対するプリント基板２の絶縁性が確保される効果に加えて、プリント基板２にいかなる切欠きをも設けることなしに、プリント基板２の金属ケース３への組込みに先立ってプリント基板２を絶縁フィルム１０に仮固定することができるので、金属ケース３に対するプリント基板２の組込み作業を容易にすることができる効果がある。
【００４８】
また、絶縁フィルム１０に形成された４個の折返し部１３は、両側板部１２，１２の長手方向の端部に短く延設され、両側板部１２，１２の上縁に突設されるものではないから、絶縁フィルム１枚当たりの材料使用量が比較的少なくて済むという効果もある。
【図面の簡単な説明】
【００４９】
【図１】本発明による絶縁フィルムの基本的な構成を示す展開図である。
【図２】本発明による絶縁フィルムの変形構成を示す展開図である。
【図３】図２の絶縁フィルム用いてプリント基板を金属ケース内に収納するのに先立って、プリント基板が絶縁フィルムに仮固定される状態を示す斜視図である。
【図４】図３の折返し部を示す拡大斜視図である。
【図５】絶縁フィルムに仮固定されたプリント基板が、プリント基板よりも長さの長い金属ケース内に収納される状態を示す斜視図である。
【図６】絶縁フィルムの折返し部とプリント基板の角部との係合状態を示す拡大斜視図である。
【図７】絶縁フィルムの折返し部に形成されるプリント基板の角部に対する係合部の変形を図４に対応させて示す拡大斜視図である。
【図８】側板部に対する係合片を備えた折返し部の、図４に対応する拡大斜視図である。
【図９】側板部に、プリント基板の上面の両側縁に係合する突起を備えた絶縁フィルムの斜視図である。
【図１０】２枚のプリント基板を支持することができる折返し部の構成を示す、図４に対応する斜視図である。
【図１１】側板部の高さの異なる種々の金属ケースに対して対応可能な絶縁フィルムの斜視図である。
【図１２】底板部の幅の異なる種々の金属ケースに対して対応可能な絶縁フィルムの斜視図である。
【図１３】折返し部の変形構成を示す、図４に対応する拡大斜視図である。
【図１４】図１３に示す折返し部が使用可能なプリント基板と絶縁フィルムとの組合せ構成を示す要部の平面図である。
【図１５】側板部の両端以外に設けられる折返し部の構成を示す、図４に対応する拡大斜視図である。
【図１６】図１５に示す折返し部を備えた絶縁フィルムの斜視図である。
【符号の説明】
【００５０】
１，１０    絶縁フィルム
２    プリント基板
３    金属ケース
１１    絶縁フィルムの底板部
１２    絶縁フィルムの側板部
１３，５３    絶縁フィルムの折返し部
１５，５５    折返し部の係合凹部
１６    絶縁フィルムの底板部の延長部
Ｌ１    折曲げ線
Ｌ２，Ｌ４    折返し線
【図１】
2006005200.tif 000003
【図２】
2006005200.tif 000004
【図３】
2006005200.tif 000005
【図４】
2006005200.tif 000006
【図５】
2006005200.tif 000007
【図６】
2006005200.tif 000008
【図７】
2006005200.tif 000009
【図８】
2006005200.tif 000010
【図９】
2006005200.tif 000011
【図１０】
2006005200.tif 000012
【図１１】
2006005200.tif 000013
【図１２】
2006005200.tif 000014
【図１３】
2006005200.tif 000015
【図１４】
2006005200.tif 000016
【図１５】
2006005200.tif 000017
【図１６】
2006005200.tif 000018